(57)【要約】【課題】本発明の目的は、オフロック機構の操作性及び耐久性を向上させた携帯用切断機を供給することである。【解決手段】オフロック機構１１は、スイッチ９をオフ状態で維持するオフロックスイッチ１２と、オフロックスイッチ１２の移動を案内する長穴１３を有する基部１４とを備え、長穴１３は、第１の幅を持つ第１穴部１３ｂと、第１の幅より大きい第２の幅を持つ第２穴部１３ａとを有し、オフロックスイッチ１２は、第１穴部１３ｂと第２穴部１３ａの一方から他方へ移動することによってスイッチ９をオフ状態に維持する。【選択図】  図１
2010063808.tif 000002
【特許請求の範囲】
【請求項１】
モータの回転によって駆動される切断刃と、前記モータの駆動のオン及びオフを切り替えるスイッチと、該スイッチをオフ状態で維持するオフロック機構を備え、前記切断刃によって被切断材を切断する携帯用切断工具であって、
前記オフロック機構は、前記スイッチをオフ状態で維持するオフロックスイッチと、該オフロックスイッチの移動を案内する長穴を有する基部とを備え、
前記長穴は、第１の幅を持つ第１穴部と、該第１の幅より大きい第２の幅を持つ第２穴部とを有し、前記オフロックスイッチは、前記第１穴部と前記第２穴部の一方から他方へ移動することによって前記スイッチをオフ状態に維持することを特徴とする携帯用切断機。
【請求項２】
前記オフスイッチは、前記第１穴部の幅より小さい幅を有する第１案内部と、該第１案内部と連結され前記第１穴部の幅より大きく第２穴部の幅より小さい幅を有する第２案内部とを有し、
前記オフスイッチを、前記長穴内で移動させた際、前記第２案内部が前記第２穴部と係合することにより前記スイッチのオフ状態を維持することを特徴とする請求項１記載の携帯用切断機。
【請求項３】
前記オフロック機構は、前記オフロックスイッチを前記基部から離れる方向に付勢する付勢部材を有し、
該付勢部材は、前記オフスイッチを前記長穴内で移動させ、前記第２案内部が前記第２穴部の位置になった際に前記第２案内部を前記第２穴部側に付勢することを特徴とする請求項２記載の携帯用切断機。
【発明の詳細な説明】
【技術分野】
【０００１】
本発明は、モータの駆動をオン又はオフするためのスイッチのオフロック機構を備えた携帯用切断工具に関するものである。
【背景技術】
【０００２】
従来の携帯用切断工具は、切断刃を駆動するためのモータの駆動をオンオフするためのスイッチが設けられている。また、工具を使用しない場合にスイッチをオフ状態に維持（ロック）しておくためのオフロック機構が設けられている。
【０００３】
従来の携帯用切断機について図７乃至図１２を用いて説明する。ナイフカッターのオフロック機構１００は、スイッチ１０１のオン及びオフの切り替えをオフロックスイッチ１０２のスライド操作による１方向のみの移動で行なっていた。
【０００４】
図７はスイッチ１０１がオン状態すなわちスイッチ部１０１ａがスイッチ１０１によってオンされた状態を示しており、オフロックスイッチ１０２は、図８の矢印Ｘの方向にスライドされ同図の位置になっている。なお、図８は図７の矢印Ａから見たものである。この状態では、図７のＢ−Ｂ断面を示す図９に示すように、スイッチ部１０１ａの接点部１０１ｂがスイッチ１０１によってオンすることができるように、オフロック機構１００の突出部１０５が接点部１０１ｂから回避するようにロック爪部１０３は工具本体側に設けられた爪部１０４と係合している。
【０００５】
この状態からオフロックスイッチ１０２を矢印Ｘの方向にスライドさせて図１０の位置にすると、オフロック機構１００は図１１及び図１２に示す状態になる。図１１に示すように、スイッチ１００は、オフロック機構１００の突出部１０５によって接点部１０１ａとの接触が防止される。すなわち、図１２に示すように、スイッチ部１０１ａの接点部１０１ｂの下側にオフロック機構１００の突出部１０５が入り込み、接点部１０１ｂとスイッチ１０１との接触を防止するようにロック爪部１０３は工具本体側に設けられた爪部１０４と係合している。
【発明の開示】
【発明が解決しようとする課題】
【０００６】
従来のオフロック機構１００は、オフロックスイッチ１０２をオフ状態とオン状態との間を切り替える際に、爪部１０３及び１０４に設けられた凹凸形状を擦りながら切り替えるため、爪部１０３及び１０４にかかる切り替え荷重が生じるため、オフロックスイッチ１０２のオン状態とオフ状態を繰り返し切り替えると爪部１０３及び１０４間に生じる摩擦によって凹凸形状が磨耗しオフロック機構の寿命が短くなってしまうという問題があった。また、爪部１０３及び１０４の凹凸形状による摩擦によってオフロックスイッチ１０２のスライド操作が悪いという問題があった。
【０００７】
本発明の目的は、オフロックスイッチの切り替えの操作性を向上させ、オフロック機構の寿命を長くすることである。
【課題を解決するための手段】
【０００８】
上記目的を達成するため、本発明は、モータの回転によって駆動される切断刃と、前記モータの駆動のオン及びオフを切り替えるスイッチと、該スイッチをオフ状態で維持するオフロック機構を備え、前記切断刃によって被切断材を切断する携帯用切断工具であって、前記オフロック機構は、前記スイッチをオフ状態で維持するオフスイッチと、該オフロックスイッチの移動を案内する長穴を有する基部とを備え、前記長穴は、第１の幅を持つ第１穴部と、該第１の幅より大きい第２の幅を持つ第２穴部とを有し、前記オフロックスイッチは、前記第１穴部と前記第２穴部の一方から他方へ移動することによって前記スイッチをオフ状態に維持することを特徴とする。
【０００９】
このような構成にすることにより、簡単な操作でオフロックスイッチをオフ状態に維持することができ、操作性を向上することができる。
【００１０】
また、前記オフスイッチは、前記第１穴部の幅より小さい幅を有する第１案内部と、該第１案内部と連結され前記第１穴部の幅より大きく第２穴部の幅より小さい幅を有する第２案内部とを有し、前記オフスイッチを、前記長穴内で移動させた際、前記第２案内部が前記第２穴部と係合することにより前記スイッチのオフ状態を維持するようにしても良い。
【００１１】
このような構成にすることによって、幅が異なる穴部とオフロックスイッチとの係合によってオフ状態を維持できるため、オフロック機構の磨耗を防止でき寿命を向上することができる。
【００１２】
また、前記オフロック機構は、前記オフロックスイッチを前記基部から離れる方向に付勢する付勢部材を有し、該付勢部材は、前記オフスイッチを前記長穴内で移動させ、前記第２案内部が前記第２穴部の位置になった際に前記第２案内部を前記第２穴部側に付勢する用にしても良い。
【００１３】
このような構成にすることによって、オフロックを解除したい場合にオフロックスイッチを付勢部材に抗して押すことによって簡単に解除できるとともに、付勢部材によって確実にオフロック状態を維持することができる。
【発明の効果】
【００１４】
本発明により、オフロック機構の切替荷重を大きくする必要なく、確実にオフロック状態を維持でき、操作性を向上することができる。
【発明を実施するための最良の形態】
【００１５】
本発明の実施の形態を図１乃至図７を用いて説明する。図１は本発明となる携帯用切断機の一部断面を示した側面図、図２は図１の矢印Ａから見た一部拡大図、図３は図２のオフロックスイッチを取り外した状態を示す図、図４は図２のＡ−Ａ断面図、図５は図１のＢ−Ｂ断面の一部拡大図、図６は図１のＣ−Ｃ断面図である。
【００１６】
図１において、携帯用切断機１は、ハウジング２内にモータ３を内蔵しており、モータ３の回転は回転変換機構（クランク機構等）４によって往復運動に変換されてロッド４ａに伝達される。ロッド４ａには被切断材を切断する切断刃５が取り付けられている。ハウジング２の一端側には、切断刃５が貫通する穴を有し、被切断材に当接させるベース６が取り付けられており、また、切断刃５により被切断材を切断した際に生じる切粉を収納する収納カバー７が取り付けられている。また、ハウジング２の他端側には、モータ２に電力を供給する電池パック８が着脱可能に取り付けられている。
【００１７】
更に、モータ２のオン又はオフを切り替えるスイッチ９が軸９ａを支点に回動可能に設けられている。スイッチ９の操作に連動してモータ２の駆動をオンオフするためのスイッチ部１０が設けられている。
【００１８】
被切断材の切断作業は、スイッチ９を操作する（ハウジング２側に押す）と、スイッチ９が軸９ａを中心に回動し、スイッチ９の一端部９ｂがスイッチ部１０の接点部１０ａに当接する。すると、接点部１０ａがスイッチ部１０内に押し込まれてモータ２をオンすることができる。モータ２がオンすることによってモータ２の回転は回転変換機構４、ロッド４ａを介して切断刃５に往復運動として伝達され、被切断材を切断することができる。
【００１９】
次に、本発明となるオフロック機構について図２乃至図５を用いて説明する。切断機１を使用しない場合等に切断機１のスイッチ９（スイッチ部１０）がオンとならないようにするため、スイッチ９のオフ状態を維持するためのオフロック機構１１が、接点部１０ａとスイッチ９の一端部９ｂとの近傍に設けられている。図２に示すように、オフロック機構１１は、スイッチ９がオンとならないようにオフ状態を維持する位置に移動可能なオフロックスイッチ１２と、オフロックスイッチ１２が取り付けられる長穴１３を有する基部１４とから主に構成されている。基部１４には、オフロックスイッチ１２をスライド可能に取り付けるための長穴１３が形成されている。長穴１３は幅（図中左右方向）が異なる２つの穴部１３ａ及び１３ｂから構成されており、穴部１３ａの幅は穴部１３ｂの幅より大きく構成されている。
【００２０】
一方、長穴１３に取り付けられるオフロックスイッチ１２は、図４に示すように作業者によって操作される操作部１２ａと、操作部１２ａに連結され穴部１３ｂの幅以下の幅を有する第１案内部１２ｂと、第１案内部１２ｂと連結され穴部１３ｂの幅より大きく穴部１３ａの幅より小さい第２案内部１２ｃとから構成されている。案内部１２ｂ及び１２ｃには、オフロックスイッチ１２を基部１４の収納部１４ａ対して上下動（図中左右方向）できるようにボルト１６を固定するねじ穴が設けられている。また、第２案内部１２ｃと収納部１４ａ間には、オフロックスイッチ１２を基部１４から離れる方向に付勢する付勢部材となるスプリング１５がボルト１６の周りに設けられている。
【００２１】
図４において、同図（ａ）はオフロック機構１１がオン状態すなわちスイッチ９のオフ状態を維持した状態、同図（ｂ）は、オフロック機構１１がオフ状態すなわちスイッチ９のオフ状態を解除（スイッチ９がオン操作可能）した状態を示すものである。同図（ａ）では、スプリング１５の付勢力によってオフロックスイッチ１２が基部１４に対して離れる方向に付勢されており、第２案内部１２ｃが長穴１３の幅が大きい穴部１３ａと係合している。この状態では、図５（ａ）及び図６（ａ）に示すように、突出部１５がスイッチ９の一端部９ｂと接点部１０ａとの接触を防止するようになっており、スイッチ９のオフ状態を維持している。この状態で、オフロックスイッチ１２を長穴１３の長手方向にスライドしようとしても、穴部１３ｂの幅は、第２案内部１２ｃの幅より小さいため、スライド移動することができない。従って、オフロックを解除することはできない。なお、オフロックスイッチ１２に設けられたガイド部１７は基部１４に設けられたガイド部１８に沿って案内されるのみとなっており、従来のように、凹凸形状の摩擦によってオフロックする構成ではないため、部品の寿命を向上することができる。
【００２２】
一方、スイッチ９をオン操作する場合には、オフロックスイッチ１２をスプリング１５の付勢力に抗して基部１４側に押して、第２案内部１２ｃと穴部１３ａとの係合を解除する。その状態でオフロックスイッチ１２を長穴１３の長手方向にスライド移動することによって図４（ｂ）に示すように、第１案内部１２ｂと穴部１３ｂとを係合させて、オフロックを解除することができる。この場合、穴部１３ｂの幅は、第２案内部１２ｃの幅より小さいため、スプリング１５の付勢力によってオフロック状態となることはない。従って、図５（ｂ）及び図６（ａ）に示すように、突出部１５は、スイッチ９の一端部９ｂと接点部１０ａとの接触が可能となるように、接点部１０ａの位置から回避するため、スイッチ９（スイッチ部１０）をオンすることができるようになる。
【００２３】
以上の説明により、オフロック状態にする場合には、オフロックスイッチ１２を穴部１３ａの位置にスライドさせれば、スプリング１５の付勢力によってオフロックスイッチ１２の第２案内部１２ｃが穴部１３ａに入り込むのでオフロック状態を維持することができる。逆に、オフロックを解除する場合には、オフロックスイッチ１２をスプリング１５の付勢力に抗して押し下げ第２案内部１２ｃと穴部１３ａとの係合を解除し、オフロックスイッチ１２を穴部１３ｂの位置にスライドさせれば、スプリング１５の付勢力によってオフロックスイッチ１２は第１案内部１２ｂが穴部１３ｂに入り込むのでオフロック状態を解除することができるとともに、スプリング１５の付勢力によってその状態を維持することができる。従って、オフロックスイッチ１２を簡単な操作でスライド移動することができるため、操作性を向上することができる。また、スライド移動の際、従来のような爪部による凹凸形状によってオフロック機構を構成していないため、部品（爪部）の磨耗を防止でき切断機の寿命を向上することができる。
【００２４】
なお、本実施の形態では、穴部、案内部、スプリングによってオフロック状態を維持するように構成したが、寿命を考慮しなければ、上記構成に加えた従来の切断機の図９及び図１２に示すように爪部に凹凸形状を設け、摩擦によってもオフロック状態を維持するようにしても良い。また、オフロックスイッチの移動は基部に対して上下方向に限らず左右方向でも良い。
【図面の簡単な説明】
【００２５】
【図１】本発明となる携帯用切断機の一部断面を示した側面図。
【図２】図１の矢印Ａから見た一部拡大図。
【図３】図２のオフロックスイッチを取り外した状態を示す図。
【図４】図２のＡ−Ａ断面図であり、（ａ）はオフロック状態、（ｂ）はオフロック解除状態を示す図。
【図５】図１のＢ−Ｂ断面の一部拡大図であり、（ａ）はオフロック状態、（ｂ）はオフロック解除状態を示す図。
【図６】図１のＣ−Ｃ断面の一部拡大図であり、（ａ）はオフロック状態、（ｂ）はオフロック解除状態を示す図。
【図７】従来のオフロック機構の部分断面図であり、オフロック解除状態を示す図。
【図８】図７の状態での矢印Ａから見た一部拡大図。
【図９】図７のＢ−Ｂ断面図。
【図１０】図８のオフロック状態を示す図。
【図１１】従来のオフロック機構の部分断面図であり、オフロック状態を示す図。
【図１２】図１１のＢ−Ｂ断面図。
【符号の説明】
【００２６】
１は携帯用切断機、２はハウジング、３はモータ、４は回転変換機構、５は切断刃、６はベース、７はカバー、８は電池パック、９はスイッチ、１０はスイッチ部、１１はオフロック機構、１２はオフロックスイッチ、１３は長穴、１４は基部、１５はスプリング、１６はボルトである。
【図１】
2010063808.tif 000003
【図２】
2010063808.tif 000004
【図３】
2010063808.tif 000005
【図４】
2010063808.tif 000006
【図５】
2010063808.tif 000007
【図６】
2010063808.tif 000008
【図７】
2010063808.tif 000009
【図８】
2010063808.tif 000010
【図９】
2010063808.tif 000011
【図１０】
2010063808.tif 000012
【図１１】
2010063808.tif 000013
【図１２】
2010063808.tif 000014